(57)【要約】【課題】副生成物の放出が相対的に少なく、イオンエミッターの汚染速度を低減したＡＣコロナイオナイザーを提供すること。【解決手段】エミッターに少なくとも１つのパルス列を与え、該パルス列は、順次に入れ替わる正のパルス列および負のパルス列を含み、正のパルス列は正相中の第１の複数のイオン化正電圧パルスと、正相後に生じるイオン化周波数相中の第２の複数のイオン化正電圧パルスとを含み、負のパルス列は、イオン化周波数相中の第１の複数のイオン化負電圧パルスと、イオン化周波数相後に生じる負相中の第２の複数のイオン化負電圧パルスとを含み、第１の複数のイオン化正電圧パルスはそれぞれ、第２の複数のイオン化正電圧パルスのそれぞれの大きさよりも大きく、第１の複数のイオン化負電圧波形は、第２の複数のイオン化負電圧パルスよりも大きい。【選択図】図１
2018026357.tif 000002
【特許請求の範囲】
【請求項１】
エミッターと基準電極とを分離する空間内でイオンを生成するための方法において、
前記エミッターから前記対象物への距離に応じて変更可能な数の小さな鋭いパルスおよび変更可能な繰り返し数のパルスを生成することを含んで成るエミッターと基準電極とを分離する空間内でイオンを生成するための方法。
【請求項２】
印加される電力が、コロナ放電によって正のイオンおよび負のイオンを生成するのに十分であるが、オゾンおよび酸化窒素を生成し、前記エミッターを腐食し、周囲空間から粒子を引き寄せるには不十分であるように、前記パルスのパルス持続時間は短い請求項１に記載の方法。
【請求項３】
前記パルスは、両方の極性のためのコロナしきい値より高い振幅を有する強いイオン化パルスを含む請求項１に記載の方法。
【請求項４】
印加される電力が、前記エミッター先端またはワイヤ電極上への粒子の蓄積を低減し、かつイオン化バーからのコロナ放電粒子放出に関連付けられる汚染を最小化しながら、コロナ放電によって正のイオンおよび負のイオンを生成するのに十分であるように前記パルスのパルス持続時間は短い請求項１に記載の方法。
【請求項５】
イオン流バランスを概ね０付近に保持することを更に含む請求項１に記載の方法。
【請求項６】
前記パルスは、低い電源を使用して前記エミッターに印加される高電圧を与えることができるようにするために、非常に低い繰り返し数の強いマイクロパルスを含む請求項１に記載の方法。
【請求項７】
前記パルス列は複数の波を含み、各波は、初期の低い振幅ピークと、逆極性の第２の高い振幅ピークと、最後の低い振幅ピークとを含む請求項１に記載の方法。
【請求項８】
先端間のイオン密度変動の影響を低減し、かつ前記エミッターの長さに沿ってイオンバランスを均等に分布させることができるようにするために、線形ワイヤまたは一群の線形エミッターに同時に電圧を印加することを更に含む請求項１に記載の方法。
【請求項９】
前記パルス列を制御するためにマイクロコントローラを使用することを更に含む請求項１に記載の方法。
【請求項１０】
逆極性の電圧を生成し、それにより、放射される電界を低減するデュアルイオンエミッターを使用することを更に含む請求項１に記載の方法。
【請求項１１】
エミッターと基準電極とを分離する空間内でイオンを生成するための装置において、
エミッターと、
基準電極と、
前記エミッターから前記対象物への距離に応じて変更可能な数の列をなす小さな鋭いパルスおよび変更可能な繰り返し数のパルスを生成する駆動回路とを具備するエミッターと基準電極とを分離する空間内でイオンを生成するための装置。
【請求項１２】
印加される電力が、コロナ放電によって正のイオンおよび負のイオンを生成するのに十分であるが、オゾンおよび酸化窒素を生成し、前記エミッターを腐食し、周囲空間から粒子を引き寄せるには不十分であるように、前記パルスのパルス持続時間は短い請求項１１に記載の装置。
【請求項１３】
前記パルスは、通常の約50000ヘルツ〜70000ヘルツの代わりに、約２５０ヘルツのような非常に遅い繰り返し数においてイオン化しきい値より少なくとも約1000V高い強いイオン化パルスを含み、それにより、オゾンを少なく抑えながらイオンを生成する請求項１１に記載の装置。
【請求項１４】
印加される電力が、前記エミッター先端またはワイヤ電極上への粒子の蓄積を低減し、かつイオン化バーからのコロナ放電粒子放出に関連付けられる汚染を最小化しながら、コロナ放電によって正のイオンおよび負のイオンを生成するのに十分であるように、前記パルスのパルス持続時間は短い請求項１１に記載の装置。
【請求項１５】
前記駆動回路はイオン流バランスを概ね０付近に保持する請求項１１に記載の装置。
【請求項１６】
前記パルスは、低い電源を使用して前記エミッターに印加される高電圧を与えることができるようにするために、非常に低い繰り返し数の強いマイクロパルスを含む請求項１１に記載の装置。
【請求項１７】
前記パルス列は複数の波を含み、各波は、初期の低い振幅ピークと、逆極性の第２の高い振幅ピークと、最後の低い振幅ピークとを含む請求項１１に記載の装置。
【請求項１８】
前記駆動回路は、先端間のイオン密度変動の影響を低減し、かつ前記エミッターの長さに沿ってイオンバランスを均等に分布させることができるようにするために、線形ワイヤまたは一群の線形エミッターに同時に電圧を印加する請求項１１に記載の装置。
【請求項１９】
前記パルス列を制御するマイクロコントローラを更に具備する請求項１１に記載の装置。
【請求項２０】
前記エミッターは、逆極性の電圧を生成し、それにより、放射される電界を低減するデュアルイオンエミッターを更に具備する請求項１１に記載の装置。
【発明の詳細な説明】
【技術分野】
【０００１】
本発明は、正負両方の静電荷中和のためのＡＣコロナイオナイザーに関する。より詳細には、本発明は、オゾン、酸化窒素等の副生成物の放出が相対的に少なく、イオンエミッターの汚染速度を遅くするＡＣコロナイオナイザーに関する。
【０００２】
［関連出願の相互参照］
本願は2011年8月15日出願の米国特許出願第13/210,267号の一部継続出願である。米国特許出願第13/210,267号は、米国特許第8,009,405号として発行された2008年3月16日出願の米国特許出願第12/049,350号の継続出願である。米国特許出願第12/049,350号は2007年3月17日出願の米国仮特許出願第60/918,512号の優先権を主張する。
【０００３】
また、本願は2012年1月6日出願の米国仮特許出願第61/584,173号の優先権も主張する。
また、本願は2011年2月8日出願の米国特許出願第13/023,397号の一部継続出願である。
【０００４】
米国特許出願第13/210,267号、同第12/049,350号、米国仮特許出願第60/918,512号、同第61/584,173号および米国特許出願第13/023,397号は引用することにより本明細書の一部をなす。
【背景技術】
【０００５】
ＡＣコロナイオナイザーは、帯電した物体の静電荷を中和するために一般に用いられる。ＡＣコロナイオナイザーが、例えば、相対的に簡単な設計、高い信頼性および低いコストという特徴を含むことが当該技術分野において既知である。これらの特徴は、細いワイヤ（複数の場合もある）からなる線または尖端電極からなる線として構成される単一のイオンエミッターを用いるＡＣイオナイザーの場合に特に当てはまる。しかしながら、これらのイオナイザーは、オゾン放出量が相対的に多く、周囲空気から漂積物を蓄積することより電極の汚染速度が速い傾向がある。電極の汚染はイオン化効率を下げ、イオンバランスに影響を及ぼす場合がある。
【０００６】
したがって、エミッターの汚染速度が遅く、オゾン放出量が相対的に少なく、かつ／または、それらを併せ持つ、静電荷を中和するための解決策が必要とされている。
【発明の概要】
【０００７】
本発明の実施形態は、種々の物体上の静電荷を低減するために正負両方のイオンを生成する空気／ガスイオン化装置および方法を提供する。本発明の複数の実施形態が以下の取り得る利点のうちの１または複数を達成することができる。
【０００８】
（１）オゾンおよび他のコロナ副生成物の放出物（複数の場合もある）を制限しながら、十分なレベルのプラスイオン流およびマイナスイオン流を与えること；
（２）エミッター先端またはワイヤ電極上への粒子の蓄積を低減し、イオン化バーからのコロナ放電粒子放出に関連付けられる汚染を最小化すること；
（３）イオン流バランスを概ね０付近に自動的に保持すること、および／または
（４）低コストの電源および維持管理しやすいイオン生成システムの設計を提供すること。
【０００９】
本発明の１つの特定の実施形態では、電力が非常に低く、イオン化効率が高くなるように、先端またはワイヤ電極に印加される高い電圧が設計される。これは、非常に強いマイクロ秒幅のパルスを非常に低い繰り返し数において用いることによって成し遂げられる。フライバックタイプ発生器が、そのような波を共振回路において自然に生成する。各波は少なくとも３つの電圧ピーク：初期の低い振幅ピーク、逆極性の第２の高い振幅ピークおよび最後の低い振幅ピーク（波）を有する。通常、高レベルの波のみがイオン化のために用いられる。第１の波および第３の波は、後に説明されるように、適切に減衰させることによって、振幅を大きく低減することができる。そのような低い電力を使用することにより、オゾンの発生、コロナ副生成物の生成、粒子の蓄積および脱落（shedding）、並びにエミッターの摩耗を低減する。
【００１０】
本発明の更に別の実施形態では、イオン化方法は、印加される電力が、コロナ放電によって正のイオンおよび負のイオンを生成するのに十分（または満足）であるが、オゾンおよび酸化窒素を生成し、エミッターを腐食し、かつ／または、周囲空間から粒子を引き寄せるには不十分（または不満足）であるように、比較的短いパルス持続時間を提供することを含む。
【００１１】
本発明の更に別の実施形態では、イオン化方法は、先端間の通常のイオン密度変動の影響を低減し、かつイオンエミッター構造の長さに沿ってイオンバランスを均等に分布させることができるようにするために、線形ワイヤまたは一群の線形エミッターに同時に電圧を印加することをオプションで含むことができる。本発明の別の実施形態では、このオプションの方法は除外することができる。
【００１２】
別の実施形態では、エミッターと基準電極とを分離する空間内でイオンを生成するための方法であって、エミッターから対象物の距離に応じて変更可能な数の小さな鋭いパルスおよび変更可能な繰り返し数のパルスを生成することを含む方法。
【００１３】
本発明の更に別の実施形態では、エミッターと基準電極とを分離する空間内でイオンを生成するための装置および方法が、エミッターに少なくとも１つのパルス列を与えることを含み、そのパルス列は、順次に入れ替わる正のパルス列および負のパルス列を含み、正のパルス列は正相中の第１の複数のイオン化正電圧パルスと、正相後に生じるイオン化周波数相中の第２の複数のイオン化正電圧パルスとを含み、負のパルス列は、イオン化周波数相中の第１の複数のイオン化負電圧パルスと、イオン化周波数相後に生じる負相中の第２の複数のイオン化負電圧パルスとを含み、第１の複数のイオン化正電圧パルスはそれぞれ、第２の複数のイオン化正電圧パルスのそれぞれの大きさよりも大きく、第１の複数のイオン化負電圧波形はそれぞれ、第２の複数のイオン化負電圧パルスのそれぞれの大きさよりも大きい。
【図面の簡単な説明】
【００１４】
【図１】本発明の一実施形態による、正および負のイオン化パルスおよびパルス列の電圧波形を示す図である。
【図２】本発明の一実施形態による、リアルタイムドメインにおける列の正および負のイオン化パルスの電圧波形のスコープスクリーンショットを示す図である。
【図３Ａ】１ワイヤタイプのエミッター電極を備えるイオン化バーの場合の本発明の１つのアナログ／論理ベース実施形態の回路図である。
【図３Ｂ】図３Ａの種々の構成要素の種々の入力への波形図である。
【図４Ａ】本発明のマイクロプロセッサに基づく実施形態のブロック図である。
【図４Ｂ】本発明のマイクロプロセッサに基づく実施形態のブロック図である。
【図５Ａ】本発明の一実施形態による、異なる電荷中和条件の場合に高電圧波形（パルス列）を最適化する３つの異なるモードのうちの１つのマルチパルスを示す図である。
【図５Ｂ】本発明の一実施形態による、異なる電荷中和条件の場合に高電圧波形（パルス列）を最適化する３つの異なるモードのうちの１つのマルチパルスを示す図である。
【図５Ｃ】本発明の一実施形態による、異なる電荷中和条件の場合に高電圧波形（パルス列）を最適化する３つの異なるモードのうちの１つのマルチパルスを示す図である。
【図５Ｄ】本発明の一実施形態による、図４Ａ、４Ｂのコントローラによって実行されるソフトウェアによって実行される方法の流れ図である。
【図５Ｅ】本発明の一実施形態による、マルチパルス設定可能パラメーターおよび対応する定義と、例示的なパラメーター範囲値とを示す表である。
【図５Ｆ】本発明の一実施形態による、図５Ａ、図５Ｂ、５Ｃとは異なる設定に基づく３つの異なるモードのうちの１つのマルチパルスを示す図である。
【図５Ｇ】本発明の一実施形態による、図５Ａ、図５Ｂ、５Ｃとは異なる設定に基づく３つの異なるモードのうちの１つのマルチパルスを示す図である。
【図５Ｈ】本発明の一実施形態による、図５Ａ、図５Ｂ、５Ｃとは異なる設定に基づく３つの異なるモードのうちの１つのマルチパルスを示す図である。
【図６】２つの（ワイヤタイプまたは先端タイプ）エミッター電極を備える二相イオン化バーとしての本発明の別の実施形態の回路図である。
【図７】本発明の一実施形態による、線形バーの場合の自己バランスイオン化構造の変形形態を示す。
【図８】本発明の一実施形態による、ワイヤエミッターおよび空気支援イオン送達システムを備える線形バーの概略図である。
【発明を実施するための形態】
【００１５】
以下の詳細な説明では、説明の目的上、本発明の種々の実施形態を完全に理解してもらうために、数多くの具体的な細部が記述される。本発明のこれらの種々の実施形態が例示にすぎないこと、および制限することは決して意図していないことを当業者は理解されよう。本明細書における開示の利益を得た当業者には、本発明の他の実施形態が容易に思い浮かぶであろう。
【００１６】
本発明の一実施形態は、イオン化バー、ブロワまたはインラインイオン化デバイスとして構成される数多くのタイプの空気−ガスイオナイザーに適用することができる。
【００１７】
当該技術分野においてパルスモードイオナイザーが既知である。例えば、特開2008-124035号、米国特許出願公開第20060151465号および同第20090116828号がＡＣイオン化バーを記述している。米国特許第8,009,405号は、正のパルスおよび負のパルスのバーストを定期的に発生させる高電圧電源を備えるイオン化ブロワの設計を開示している。
【００１８】
これらの電源は、プラスおよびマイナスＤＣ高電圧源と、イオン放出構造に接続される加算ブロックとを含む。各高電圧源のスイッチを独立してオンおよびオフすることによって、低周波パルス（約０．１Ｈｚ〜１００Ｈｚの範囲）が生成される。しかしながら、これらのＡＣパルスイオン化システムは複雑であり、効率が低く、イオン放出構造上に粒子が蓄積する傾向がある。
【００１９】
本発明の一実施形態の主な特徴のうちの１つは、極めて非対称（正または負の電圧の大きさに関して）の短い持続時間の両極イオン化パルスを使用することである。正および負のパルスの列（すなわち、パルス群）が線形エミッターまたは一群のエミッターに適用される。
【００２０】
短い持続時間のパルス（非対称の波形をなす）は高電圧勾配を生成し、その電圧勾配はエミッターにおけるイオン再結合を低減し、それによりエミッターイオン化効率を高めるので、高濃度のプラスイオンおよびマイナスイオンを生成するのに相対的にまたは極めて消費電力が低い方法を使用できるようになる。
【００２１】
本発明の一実施形態では、パルス持続時間ごとに可変のパルス数、列パルス持続時間、および電圧振幅を有するパルスの列によって、正および負のイオン雲が定期的に生成される。電圧波形の数は、低電圧パルス発生器によって制御される一次巻線と、バーのイオンエミッターおよび基準電極を含む共振回路を形成する二次巻線とを備える小型高電圧変圧器によって生成することができる。
【００２２】
図１は、本発明の一実施形態による、正および負のイオン化パルスおよびパルス列の電圧波形を示す図である。低電圧パルス１０５ａ、１０５ｂ（高電圧変圧器の入力を制御する）が、図１の上部に示される。各イオン化パルス、例えば、正のパルスが、３つの異なる電圧波成分からなる系列を含むことができる。出力パルスは、コロナ放電しきい値（図１の下部の波形１１０を参照）より低い振幅を有する負の電圧波で開始する。この周期の持続時間は、数マイクロ秒または数ナノ秒の範囲にある。
【００２３】
図１に示されるように、パルス列１０５は、正のパルス列１０５ａおよび負のパルス列１０５ｂを含むように配列され、列１０５ａ、１０５ｂは順次に入れ替わる。パルス列１０５は、エミッターに与えられる。図１は、パルス列１０５から生じる有効エミッター信号１１０も示す。
【００２４】
正のパルス列１０５ａは以下のバルス：期間１１５（正相１１５）中のTupulse_repの周期と、Ｔｐのパルス幅とを有する複数のイオン化正電圧パルス１０６と、正相１１５後に生じる期間１２０（イオン化周波数相１２０）中のTupulse_repの周期と、Ｔｏ（ただし、Ｔｏ＜Ｔｐ）のパルス幅とを有する複数のイオン化正電圧パルス１０７と、イオン化周波数相１２０後に生じる期間１２５（負相１２５）中のゼロ値とを含む。
【００２５】
負のパルス列１０５ｂは以下のパルス：期間１１５（正相１１５）中のゼロ値と、イオン化周波数相１２０中のTupulse_repの周期およびＴｏ（ただし、Ｔｏ＜Ｔｐ）のパルス幅を有する複数のイオン化負電圧パルス１０８であって、パルス１０７、１０８は互いにオフセットされ、同時には生成されない、複数のイオン化負電圧パルス１０８と、期間１２５（負相１２５）中のTupulse_repの周期およびＴｎのパルス幅とを有する複数のイオン化負電圧パルス１０９であって、ＴｐおよびＴｎは時間の長さが同じである場合も、異なる場合もある、複数のイオン化負電圧パルス１０９とを含む。
【００２６】
これらのイオン化正電圧パルスおよびイオン化負電圧パルスは、イオナイザーのエミッターおよび基準電極にわたって電圧勾配を生成し、コロナ放電によって、正のイオンおよび負のイオンを含むイオン雲を生成する。後に更に論じられるように、イオン化周波数相１２０中の正のイオン化電圧パルス１０７および負のイオン化電圧パルス１０８の結果として、有効エミッター信号１１０が小さな大きさの交流パルス１３０を有するようになる。
【００２７】
期間１１５の場合に示されるように、波形１１０は、所与のイオン放出構造のための正のコロナしきい値より高い振幅を有する高い正の電圧波を含む。その期間に、イオンエミッターは、イオンエミッターと非イオン化（または基準）電極との間の間隙において正のイオンを生成する。イオンエミッターと非イオン化電極との間のこの間隙は、例えば、上記で引用された米国特許出願第13/210,267号の図６に示される。正のイオン雲はイオンエミッターから静電的に反発し、基準電極に移動する（大抵の場合に吹き飛ばされる）。
【００２８】
期間１２５中に、コロナ放電のために必要とされる振幅よりも著しく低い振幅を有する負の電圧が生じる。この電圧は、正のイオンの移動を減速し、基準電極へのイオン損失を減少させる静電界を生成する。負の電圧の振幅は、HVPS（高電圧電源）回路内の減衰機構によって調整することができる。
【００２９】
正のイオン化パルスには、高振幅の負のパルス（図１にも示される）が後続し、そのパルスは、上記で論じられたのと同じようにして、短い期間中に負のイオン雲を生成する。イオン化パルスの繰り返し数は毎秒1000パルス〜数千パルスの範囲にすることができる。
【００３０】
有効エミッター信号１１０はイオン化パルス１４２、１４４を含み、パルス１４２、１４４には、それより小さな負および正の振動１４６が後続する場合がある。負および正の振動１４６は信号１１０を生成するために用いられる電源の回路共振に起因しており、本発明を制限することは決して意図してない。振動１４６は、例えば、米国特許出願第13/023,387号において開示されるような減衰回路を使用することによって、実質的に低減することができるか、または完全に除去することができる。
【００３１】
非イオン化パルス１４８、１５０は、イオン化パルス１４２、１４４の極性（正）と逆の極性（負）を有する。
【００３２】
図１は、一群の正および負のイオン化パルス１３０を同時に示す（期間１１５と１２５の間の中央の期間１２０）。上側の破線１３５は、例えば、通常、約4.0kV〜5.0kVの範囲内にある正のコロナしきい値電圧を示し、下側の破線１４０は、例えば、約3.75kV〜4.50kVの範囲内にある負のコロナしきい値電圧を示す。負のコロナしきい値電圧を超えるパルスが負のイオンを生成し、正のコロナしきい値電圧を超えるパルスが正のイオンを生成する。
【００３３】
マイクロ秒範囲にある幾つかの短い高電圧のパルス１５１、１５２、１５３、１５４、１５５を用いる静電荷中和のための解決策は、オゾンの発生を少なくし、エミッター表面上に蓄積される汚染物質を少なくしながら、十分なイオン化をもたらすために見つけられた。
【００３４】
パルス列が交互の正および負の電圧波形を与えるように配列され、各パルスが第１の非イオン化電圧レベル、第２のイオン化電圧レベル、第３の非イオン化電圧レベルおよび回路共振に起因するわずかな更なる振動を有する。アナログまたは論理タイプスイッチング回路（図３を参照）が、交互の正および負のイオン化パルスの系列を与える。
【００３５】
フェライトコア変圧器における高電圧のフライバック発生（フライバックタイプ発生器によって発生する）の使用は、適度な巻数比を有し、正および負のイオン化パルスのために電圧乗算器回路を必要としない非常に小型の変圧器（例えば、約１”×１”×１”）を使用することができる簡単で、効率的で、しかも安価なイオナイザー高電圧電源を提供する。コアの半分の間に小さな間隙を有し、電圧振動を適切に減衰させるフェライトコアを使用することは、コアの磁気メモリ効果を低減し、それにより、一方または他方の極性のパルスからなる複数のイオン化パルス系列を使用できるようにする。
【００３６】
結果として、正および負のイオン化パルスの列（系列または群）は、約100mm〜2000mmまたはそれ以上の範囲内の長さを有する少なくとも１つのエミッター電極の場合に十分な両極性イオン化を提供する。
【００３７】
１つの極性のパルスの数は、空気流および帯電した対象物までの距離によって決まる最良の物体中和放電時間を得るために調整することができる。交互の極性のイオンの濃度は、イオン化バーが約1000mmまで、またはそれ以上の距離において移動対象物を中和するのに十分である。
【００３８】
図２は、本発明の一実施形態による、リアルタイムドメインにおける例示的な列の正および負のイオン化パルスの電圧波形のスコープスクリーンショットを示す図である。図２において見られるように、パルス列対１８は、順次に入れ替わる正のパルス列３０および負のパルス列３２を含む。上側の破線４４は、正のコロナしきい値電圧（例えば、4.5kV）を表し、下側の破線４６は、負のコロナしきい値電圧（例えば、-4.25kV）を表す。正のコロナしきい値電圧レベル４４および負のコロナしきい値電圧レベル４６はリアルタイムドメインにおいて示される。各正のパルス列３０は、コロナ放電によって正のイオンを生成するための電圧しきい値を超える最大の正の電圧振幅を有するイオン化正電圧波形を含むように配列される。同様に、負のパルス列３２は、コロナ放電によって負のイオンを生成するための電圧しきい値を超える最大の負の電圧振幅を有するイオン化負電圧波形を含むように配列される。このようにして、これらの正および負のそれぞれのイオン化電圧波形は、エミッターと基準電極との間の空間にわたって電圧勾配を交互に生成し、コロナ放電によって、正のイオンおよび負のイオンを含むイオン雲を生成する。
【００３９】
パルス繰り返し数は、必要とされるイオン化電力レベルおよび移動対象物の速度に応じて調整することができる。このスクリーンショットは、高電圧電源「オン」と電源「オフ」との実効的な比を約0.0015以下にできることを例示する。そのため、本発明の一実施形態において開示されるイオン化方法によれば、コロナ放電は通常、イオン生成のために必要な時間のわずかな部分のみ（約０．１％未満）にわたって存在し、オゾンを放出するのにかかる時間、および粒子をイオンエミッターに引き寄せるのにかかる時間より短い。
【００４０】
１ワイヤタイプイオン化システム（またはイオン化セル）による実験は、マイクロイオン化パルスを用いる電圧波形が、概ね等しい電荷中和効率において、オゾンの放出を約３分の１〜５分の１に削減することを示した。例えば、ＡＣ高周波数電源によって電力を供給される、米国特許出願公開第2008/0232021号において記述されるのに類似のイオナイザーは、本発明の一実施形態による、同じイオナイザーの場合の約10ppb（parts-per-billion）〜15ppbと比べて、約50ppb以上のオゾン濃度を生成する。
【００４１】
図３ａは、１ワイヤタイプのエミッター電極３０５を備えるイオン化バーの場合の本発明のアナログ／論理ベース３００の実施形態の回路図である。さらに、図３ｂは、図３ａにおける種々の構成要素の種々の入力への波形図を示す。ガス源３１０がガス流を供給するように配置され、電圧源Ｖ＋に電気的に結合される。パルス列１０５（図１に示されるように、正のパルス列１０５ａおよび負のパルス列１０５ｂによって形成される）がエミッター３０５によって受信される。
【００４２】
電源３０６は、アナログ／論理ベース３００の一部とすることができるか、またはベース３００内の構成要素に電力を供給する別の構成要素とすることができる。図面において明確にするために、基準ノード（グラウンド等）は図３ａにおいて省略される。図３ａ内の構成要素（例えば、抵抗器、インダクターおよびキャパシターのような受動素子）の値は、本発明の実施形態を制限することを決して意図していない。
【００４３】
アナログ／論理ベース３００の回路動作において、タイマーチップ（Ｕ３）３１５が、デュアル遅延論理チップ（Ｕ１）３２０、加算器論理チップ（Ｕ２）３２５、トランジスタ（Ｑ１）３３０および（Ｑ２）３３５、並びにスイッチング回路３４０によって形成されるパルス駆動回路３１７（または電源３１７）に短いパルスを与える。トランジスタ３３０、３３５は、例えば、MOSFETとすることができる。しかしながら、MOSFET（例えば、ｎ−チャネルMOSFETまたは他のMOSFETタイプのトランジスタ）の使用は、本発明の実施形態を制限することを決して意図していない。
【００４４】
高電圧出力変圧器３４５からの高電圧パルスのタイミングは最初に、台形発振器（Ｕ１）３２０によって生成されるクロック信号によって決まる。その発振周波数は、動作周波数と呼ばれる、正のパルス発生から負のパルス発生への交互の切り替えを決定する。その周波数は、固定キャパシター（Ｃ１）３４６および調整可能抵抗器（Ｒ１）３４７によって決定される。約０．２ヘルツ〜６０ヘルツの周波数範囲が一般に用いられており、低い周波数は或る距離にある対象物に対して用いられ、高い周波数ほど近い距離にある対象物に対して用いられる。
【００４５】
発振器（Ｕ１）３２０からの出力信号は遅延デバイス（Ｕ２）３２５に供給され、遅延デバイスは、その周波数の半分の逆位相信号を生成する。その後、デバイス（Ｕ２）３２５からの出力は、ＡＮＤゲート（Ｕ４）３４０に供給され、ＡＮＤゲートはトランジスタ３３０、３３５（例えば、MOSFET駆動トランジスタ（Ｑ１）３３０および（Ｑ２）３３５）において起こり得る起動を反転させるために用いられる。
【００４６】
主起動パルスはタイマーデバイス（Ｕ３）３１５によって生成される。（タイマーデバイス３１５の）出力ピンからのフィードバック（信号３５１）が、そのトリガピン２およびしきい値ピン６にフィードバックされる。これにより、出力ピン３において、非常に短い正のパルスを生成できるようになる。パルス幅は、固定キャパシター（Ｃ２）３５０および調整可能抵抗器（Ｒ３）３５２によって制御される。パルス幅は、フライバック出力ドライバー３１７の設計に依拠して、一般的に約２マイクロ秒〜２４マイクロ秒に調整される。パルスの繰り返し数は、固定キャパシター（Ｃ２）３５０および可変抵抗器（Ｒ４）３５４によって決定される。繰り返し数は、パルス周期の逆数に等しい。このパルス繰返し数は、約２０ヘルツから1000ヘルツに及ぶことができ、それにより、高電圧発生器の電力出力が決まり、通常は約２５０ヘルツである。
【００４７】
ＡＮＤゲート（Ｕ４）３４０はフリップフロップ信号と、チップ（Ｕ３）３１５からのマイクロ秒幅パルスとを混合し、それにより、ドライバートランジスタ（Ｑ１）３３０および（Ｑ２）３３５のゲートに起動パルスを交互に印加する。
【００４８】
（チップ（Ｕ１）３２０のコンパレーター３５６の）ピン７からの１つの出力位相を用いて、チップ（Ｕ３）３１５内の発振を停止し、それにより、チップ（Ｕ３）３１５のピン３からの出力パルスを中断する。この中断を用いて、正のイオン化と負のイオン化との間のオフタイムを与えることができる。この中断は、場合によっては、長い対象物距離におけるイオン雲再結合を減少させるか、または単に電力出力を低減するために用いられる。オフタイムまたはデッドタイムは、ピン１０、１３（それぞれ、チップ（Ｕ１）３２０内のコンパレーター３５８、３５９）に印加されるバイアスによって調整される。
【００４９】
マイクロパルスの形成は、以下の動作によって達成される。一例として、MOSFET（Ｑ２）３３５のゲートへの短い正のパルス（マイクロ秒範囲）によって、高電圧変圧器３４５の一次巻線コイル（２、３）３６０内に電流が流れ、それにより最初に、一次巻線コイル３６０の両端に小さな負の電圧パルスを生成する。負の電圧パルスの終了時に、回路共振に起因する小さな負および正の振動とともに、大きな正の電圧のフライバックパルスが生成される。
【００５０】
代替的には、MOSFET（Ｑ１）３３０のゲートへの短いパルスが大きな負のパルスを生成する。これらのパルス電圧は、約５０〜５００対１程度とすることができる大きな巻数比を用いることによって、変圧器３４５の二次巻線３６２によって拡大され、位相反転される。このようにして、MOSFET（Ｑ２）３３５は、負の高電圧パルスを開始し、MOSFET（Ｑ１）３３０は正の高電圧パルスを開始する。これらのパルスは、同じワイヤまたは尖端エミッターによって正のイオンおよび負のイオンを生成する。
【００５１】
正負両方の極性の場合のパルス電圧振幅は以下のパラメーターによって決定される。
１．変圧器（Ｔ１）３４５の巻線比
２．変圧器一次コイル３６０のインダクタンス
３．トランジスタ３３０、３３５のゲートに導入されるMOSFETゲートパルスの持続時間
４．電解フィルターであるキャパシター３６４において見られるような入力ＤＣ電圧
５．減衰回路抵抗器３６５（例えば、２オームの抵抗）、インダクター３６７（例えば、２２μＨのインダクタンス）および一次コイル３６０にかかるシャント抵抗器（Ｒｐ）３６８によって形成される一次減衰回路３６３
６．直列に接続されるトランジスタ３３０、３３５（例えば、MOSFET（Ｑ１）３３０および（Ｑ２）３３５）の抵抗
７．イオン化アセンブリの容量性負荷（変圧器二次巻線３６２の出力において測定される）
【００５２】
変圧器（Ｔ１）３４５からの高電圧出力パルスは、一次巻線３６０のインダクタンス、および減衰回路３６３の二次および一次減衰構成要素上の容量性負荷によって設定される波形を有する。変圧器中心タップ２と電力入力（Ｖｉｎ）との間に配置されるシャント抵抗器（Ｒｓ）３６５およびインダクター（Ｌｓ）３６７は、変圧器３４５内の電流の急激な立ち上がり時間を防ぎ、それにより、波形１１０（図１）の第１の部分（図１の部分１１５）のピーク値を減少させる。波形１１０の第３の部分（図１）は、シャント抵抗器（Ｒｓ）３６５によって低減される。これらの構成要素を選択的に、または注意深く調整する結果として、波形１１０の第２の部分１２０（図１）の高いピークレベルの要件を超える最大イオン化効率が得られる。
【００５３】
再び図２を参照すると、生成されたパルスの高いスルーレートが見られる。一次コイル３６０の場合、電圧立ち上がり速度は約270V/μsであり、立ち下がり速度は約1800V/μsである。二次コイル３６２の場合、スルーレートは約35(±8)kV/μsまで上昇する場合がある。いかなる乗算器、整流器および加算ブロックも用いることなく、１つの小出力高電圧変圧器３４５だけを用いて、駆動回路３１７によって非対称の正および負のパルスを絶えず生成することができる。
【００５４】
中和対象物の電荷密度および速度に応じて、パルス繰り返し数を調整できることにも留意されたい。当該技術分野（複数の場合もある）の当業者に既知である信号伝送（例えば、電流信号または電圧信号）に関する他の詳細は、本発明の実施形態に焦点を合わせるために、更には論じられない。ＡＣコロナイオナイザーにおいて生じる種々の標準的な信号伝送は、上記で引用された参考文献において更に詳述される。波形は、全ての構成要素の抵抗、キャパシタンスおよびインダクタンス（それぞれＲ、Ｃ、Ｌ）の値によって定められる。パルス高は、デバイス（Ｕ３）３１５に関連付けられる抵抗器（Ｒ３）３５２およびキャパシター（Ｃ２）３５０によって図３において設定されるパルス持続時間を変更することによって調整することができる。
【００５５】
図４ａ、４ｂは、本発明のマイクロプロセッサに基づく実施形態のブロック図である。図４ａに示されるように、パルス駆動回路は、トランジスタ３３０のスイッチングを制御するためのマイクロコントローラ４００（または他のプロセッサ若しくはコントローラ４００）を含む。マイクロコントローラ４００は、ソフトウェアの制御下で、通常、約１９マイクロ秒幅の、ソフトウェアによって調整された狭いパルスを生成し、１つのパルス列４０２ａが正のイオン化パルスに割り当てられ、１つのパルス列４０２ｂは負のイオン化パルスに割り当てられる。マイクロコントローラ４００から、パルスは、例えば、高電力MOSFETとすることができるスイッチングトランジスタ３３０、３３５（図３ａ）を駆動するのに適した大きさにパルスを増幅する１組のパルスドライバー４０５（図４ｂ）に加えられる。上記で論じられたように、これらのMOSFETは、その後、高電圧パルス変圧器３４５を駆動する。
【００５６】
本発明の他の実施形態において除外することができるオプションとして、マイクロコントローラ４００は、スパーク検出器４１０および断線検出器４２５からそれぞれ信号４１０、４１５を受信することもできる。図３ａ、４ａおよび／または本明細書における他の図／図面において示される実施形態のいずれかにおいて、印加される電力が、コロナ放電によって正のイオンおよび負のイオンを生成するのに十分であるが、オゾンおよび酸化窒素を生成する、エミッターを腐食する、および周囲空気からの粒子を引き寄せるには不十分であるように、パルス持続時間を短くすることができる。図３ａ、４ａおよび／または本明細書における他の図／図面において示される実施形態のいずれかにおいて、そのイオナイザーは、通常の約50000ヘルツ〜70000ヘルツの代わりに、例えば、約２５０ヘルツ（またはそれ未満）のような非常に遅い繰り返し数において、イオン化しきい値より少なくとも約1000ボルト高い強い（または相対的に強い）イオン化パルスを与え、それにより、オゾンを少なく抑えながらイオンを生成する。
【００５７】
図５ａ、５ｂ、５ｃは、異なる電荷中和条件の場合に高電圧波形（パルス列）を最適化する３つの異なるモードのマルチパルスを示し、図５ｄは、本発明の一実施形態による、マイクロコントローラ４００によって実行されるソフトウェアによって実行される方法を示す。モードＡ、ＢおよびＡ＋Ｂは、例えば、正の電荷および負の電荷に対する放電時間、許容可能な電圧の揺れ（電界効果）、対象物までの距離のような、電荷中和要件によって決まる。マイクロコントローラ４００は、本発明の実施形態を実施するアプリケーションによって要求されるようなイオン化パルスの３つのモード：モードＡ、モードＢおよびモードＡ＋Ｂを与えることができるソフトウェアを実行する。
【００５８】
モードＡ：図５ａに示されるように、モードＡは、正のパルスおよび負のパルスの組み合わせの反復系列によって規定される。各正のパルス５０５（正のコロナしきい値５０６ａを超える）の後に負のパルス５１０（負のコロナしきい値５０６ｂを超える）が続き、その後、各負のパルス５１０の後に正のパルス５０５が続く。正のパルス列５１５ａおよび負のパルス列５１５ｂが示されており、正の電圧パルスおよび負の電圧パルスが交互に生じる。このモードは通常、イオン化フィールド電圧を小さくする必要がある非常に近い対象物距離（例えば、約200mm以下）において用いられる。
【００５９】
モードＡでは、マイクロコントローラ４００によって実行されるソフトウェアによって、正のマイクロパルス５０５および負のマイクロパルス５１０のパルス振幅５２９、マイクロパルス周期５２５並びにパルス幅５３０、５３５がそれぞれ調整可能である。正のマイクロパルス振幅および正のマイクロパルス持続時間は、ブロック５６３（図５ｄ）において、タイマー／カウンタによってロードパルスMP_P値により調整される。負のマイクロパルス振幅および負のマイクロパルス持続時間は、ブロック５６６（図５ｄ）においてロードパルスMP_Nによって調整される。正のマイクロパルスおよび負のマイクロパルスのための周期は、ブロック５５１（図５ｄ）において、ロード繰り返し周波数（Reprate）タイマー／カウンタによって繰り返し周波数値により調整される。
【００６０】
モードＢ：図５ｂに示されるように、モードＢは、図示されるように、正のパルス５４１の反復系列５４０の後に負のパルス５４３の反復系列５４２が続き、その後に正のパルス５４１の反復系列５４０が続き、それを繰り返すことによって規定される。正のパルス系列５４０と負のパルス系列５４２との間に、小さな遅延５４４、すなわちオフタイムを加えて、イオン再結合を低減することができる。オフタイムは、イオン化パルスが生成されない時間である。このモードは通常、非常に遠い（500mm以上の）対象物距離において用いられる。ブロック５５４（図５ｄ）にロードされるブロック５６８（図５ｄ）のMP_N値の数を用いて、パルスが生成されないオフタイム遅延値５４４（図５ｂ）を設定する。正のイオン化パルス幅は、ブロック５５６（図５ｄ）においてロードパルスタイマー／カウンタによってＴpmax値により調整される。正のイオン化パルス周期は、ブロック５５１（図５ｄ）においてロード繰り返し周波数タイマー／カウンタによって繰り返し周波数値により調整される。負のイオン化パルス幅は、ブロック５６０（図５ｄ）においてロードパルスタイマー／カウンタによってＴnmax値により調整される。負のイオン化パルス周期は、ブロック５５１（図５ｄ）においてロード繰り返し周波数タイマー／カウンタによって繰り返し周波数値により調整される。
【００６１】
モードＡ＋Ｂ：図５ｃに示されるように、モードＡ＋Ｂは、モードＡとモードＢとの組み合わせであり、モードＡはオフタイム領域（時間）５５０において生じ、モードＢはオンタイム領域（時間）５５１、５５２において生じる。このモードは通常、イオン化フィールド電圧は低くしておく必要があるが、対象物距離はプロセスに応じて変化する、中間距離（200mm〜500mm）の対象物において用いられる。オンタイム領域５５１、５５３はブロック５５４において調整される。オフタイム領域５５０は、この領域の幅を決定する（すなわち、ブロック５５４において設定される）パルスMP_PおよびパルスMP_Nの数によって調整される。正のマイクロパルス幅はブロック５６３によって調整される。負のマイクロパルス幅はブロック５６６によって調整される。負のイオン化パルス幅はブロック５６０によって決定される。負のパルス繰り返し数はブロック５５１によって決定される。図５ｄは、マイクロコントローラ４００によって実行されるソフトウェアによって実行される方法５７４の他の機能を記述する種々のブロック５５０〜５７３を示す。図５ｅは、本発明の一実施形態による、マルチパルス設定可能パラメーターおよび対応する定義、並びに例示的なパラメーター範囲値を示す表５７５である。図５ｆ、図５ｇ、５ｈも、本発明の一実施形態による、図５ａ、図５ｂ、５ｃとは異なる設定に基づく３つの異なるモードにおけるマルチパルスを示す。
【００６２】
全ての３つのモードにおいて、ユーザは、（１）正若しくは負または両方のパルス幅を変更し、オフタイム領域（MP_P、MP_N）から独立してオンタイム領域（ＴpmaxおよびＴnmax）におけるイオン化量を制御することによって、かつ（２）正のオンタイム領域と負のオンタイム領域との間の時間比を変更することによって、イオンバランスを変更することができる。パルス間の時間（Ｔreprate）は全ての領域において同じであり、イオン化電力量を制御するために調整可能である。高い電力は、Ｔreprateが小さな場所であり、より頻繁にイオン化パルスを生成し、結果として、より多くのイオン化が生じる。一方、Ｔreprateが大きいほど、イオン化パルスが生成される頻度が小さくなり、結果としてイオン化が少なくなる。
【００６３】
それゆえ、本発明の一実施形態は、イオン化の方法および関連する回路図（装置）を提供する。この実施形態は、非常に短い両極性マイクロパルスを生成し、通常の大気圧において通常のエミッターを用いて効率的な両極性空気（または他のガス）イオン化をもたらす。
【００６４】
図８に示される実施形態では、高電圧パルス発生器が、種々のイオンエミッター：単一または一群のワイヤ、鋸刃タイプエミッター、尖端電極（複数の場合もある）を備えた種々のイオン化セル（構造）に電力を供給することができる。また、イオン化バーは、イオンエミッターに極めて近接して配置されるノズル、小径のオリフィスまたはスロットに接続される空気流の内部供給源（空気チャネル）を有することができる。それゆえ、図８は、本発明の一実施形態による、ワイヤエミッターおよび空気支援イオン送達システムを備える線形バーの概略図を示す。
【００６５】
本発明の別の実施形態は、主にイオン化バー設計に関する。図６（図６ａ、６ｂ）は、２つの（ワイヤおよび先端タイプ）エミッター電極Ｅ１およびＥ２を備える二相イオン化バーとしての本発明の別の実施形態の概略図を示す。２つのエミッターを備えるこの二相イオナイザーでは、エミッターはいずれも、鋭い尖端電極、ワイヤ若しくは刃の列として、または尖端エミッターを備えるノズルの列として構成することができる。線形バー内の要素の更なる詳細が、上記で引用された米国仮特許出願第61/584,173号に開示されている。
【００６６】
高電圧セクションの設計は、MOSFETの場合と同じドライバー回路（上記で論じられた）を用いるが、MOSFETトランジスタドレイン（Ｍ１およびＭ２）が、一対の高電圧変圧器Ｔ１、Ｔ２の一次側に逆向きに接続されている。
【００６７】
制御抵抗器Ｒ１および減衰キャパシターＣ２（図６）が、図３に示される回路設計の場合と同じ交互極性パルスを生成するように選択される。それゆえ、各パルスは、主に正または負のピーク振幅を有し、極性が入れ替わる。
【００６８】
図７において、キャパシターＣ２が、変圧器Ｔ１、Ｔ２の底部系統部分と直列に接続されることによって、イオン化システムが自己バランスモードにおいて動作できるようになる。両方のイオンエミッターがグラウンドに対して相対的に浮いており、電荷保存の法則によれば、出力イオン雲はかなり良好に平衡が保たれることになる。そうでない場合には、任意の通常の不平衡が、キャパシターＣ２の両端に反対のＤＣ電圧を生成する。上記のバランスを得るための方法に関する更なる詳細は、共同所有で、同じ譲受人に譲渡された、Leslie W. Partridgeによる米国特許第5,055,963号において確認することができ、米国特許第5,055,963号は引用することにより本明細書の一部をなす。
【００６９】
変圧器Ｔ１、Ｔ２に接続されるイオンエミッターは、正反対の極性を有する電圧のイオン化パルスを有する。この二相イオン化システムの場合の電圧波形６０２が（図６ａ）に示されており、エミッター（１）Ｅ１およびエミッター（２）Ｅ２を備える簡略化されたバーの断面６０５が（図６ｂ）に示される。
【００７０】
図６のこの実施形態は、単相イオン化システムに比べて、少なくとも２つの利点を有する。多くの場合に、電荷中和の物体は電界に影響されやすく、電界を相殺する効果があるイオナイザーを有する必要がある。二相イオン化システムは、逆極性の電圧を同時に生成し、それにより、放射される電界を著しく低減する。
【００７１】
この特徴は、イオン化バーが帯電した物体に極めて近接して配置されることになる場合にも重要である。例えば、正のパルス列の持続時間（パルス持続時間、振幅またはパルス周波数等）の場合のイオン化バーと物体との間の距離に関して、その距離は、１つのエミッターの場合の１サイクル内の負のパルス列の場合より長い場合があり、次の１サイクルでは、逆極性が飽和状態になる場合がある。それはイオン雲の「押す」効果をもたらし、対象物へのイオンの移動を加速することになる。
【００７２】
二相イオン化システムは、かさばる基準電極を全く有せず、これらの電極におけるイオン損失を回避するという別の利点を有する。
【００７３】
さらに、逆相の電圧源は、コロナ放電を生成するために各エミッターにおいて必要とされる電圧振幅を著しく（概ね２分の１に）減少させることができる。それゆえ、これらの変圧器は同じ設計にすることができるか、または低い一次対二次巻数比を有することができる。互いに近接しているとき、エミッターはエミッター対間の電界を高める傾向があるので、低い巻数比を用いることができる。
【００７４】
図６は、各エミッターが変圧器Ｔ１、Ｔ２の出力に容量性結合される（Ｃ３、Ｃ４）二相線形イオナイザーの実施形態も示す。両方の変圧器Ｔ１、Ｔ２の二次コイルは接地される。これは、容量性結合による自己バランス型イオン化システムの別の変形形態である。
【００７５】
図３に示される実施形態と図６に示される実施形態との間の違いは主に、イオンバランスオフセットへの反応時間である。キャパシター（Ｃ３、Ｃ４）は、バランスをとるのに短い移行時間を与えることができる。各エミッターに直列に接続される小さなキャパシターは、エミッター間の位相シフトを微調整し、エミッターが接触する場合に電流を制限するのを助けることができる。
【００７６】
イオンバランス制御：
一実施形態では、イオナイザーは、幾つかの異なる変形形態（図７に示される）の自己バランスシステムを有することができ、ワイヤエミッター（破線７０５によって示される）が、HVPS出力に容量性結合し、基準電極に接地することができ、浮いている変圧器二次側のエミッターおよび基準はいずれもHVPSに容量性結合される。
【００７７】
また、線形イオナイザーは帯電した対象物に極めて近接して配置される外部イオンバランスセンサー（複数の場合もある）を用いるアクティブイオンバランスシステムを有することもできる。この場合、マイクロプロセッサに基づく制御システムおよびバーのHVPSが主にイオン化マイクロパルスを生成し、対象物の電荷と逆極性のイオンを生成することができる。
【００７８】
ワイヤタイプエミッターを備える線形イオン化バーの概略図が図８に示される。ワイヤ電極８０１がばね８０２によってバーのシャーシ（またはカートリッジ）に取り付けられる。ばね８０２はワイヤ張力を与え、上記で論じられた高電圧電源（図８に示されない）の出力に接続される。基準電極８０３は、シャーシの両側に取り付けられる２つのステンレス鋼ストリップとして構成される。高い強度の電界が、ワイヤエミッターを覆うイオンプラズマシースの形においてコロナ放電を生成する。
【００７９】
空気口８０４が、エミッターによって生成されたイオンが対象物まで移動するのを助ける空気流を供給する。それゆえ、イオンは、電界および空気力の組み合わせによって帯電した対象物まで移動する。その結果、対象物の電荷を中和するための放電時間が短くなる（数秒の範囲内）。
【００８０】
本発明は特定の実施形態において説明されてきたが、本発明がそのような実施形態によって限定されるように解釈されるべきでないことは理解されたい。むしろ、本発明は添付の特許請求の範囲に従って解釈されるべきである。
【符号の説明】
【００８１】
３００    論理ベース
３００    ベース
３０５    エミッター電極
３０５    エミッター
３０６    電源
３１０    ガス源
３１５    タイマーチップ（Ｕ３）
３１５    タイマーデバイス（Ｕ３）
３１５    タイマーデバイス
３１５    チップ（Ｕ３）
３１５    デバイス（Ｕ３）
３１７    パルス駆動回路
３１７    電源
３１７    フライバック出力ドライバー
３１７    駆動回路
３２０    デュアル遅延論理チップ（Ｕ１）
３２０    台形発振器（Ｕ１）
３２５    遅延デバイス（Ｕ２）
３３０    ＭＯＳＦＥＴ（Ｑ１）
３３５    ＭＯＳＦＥＴ（Ｑ２）
３４０    ゲート（Ｕ４）
３４５    高電圧出力変圧器
３４６    固定キャパシター（Ｃ１）
３４７    調整可能抵抗器（Ｒ１）
３５０    固定キャパシター（Ｃ２）
３５２    調整可能抵抗器（Ｒ３）
３５４    可変抵抗器（Ｒ４）
３５６    コンパレーター
３５８    コンパレーター
３５９    コンパレーター
３６０    変圧器一次コイル
３６２    変圧器二次コイル
３６３    一次減衰回路
３６４    キャパシター
３６５    シャント抵抗器（Ｒｓ）
３６７    インダクター（Ｌｓ）
３６８    シャント抵抗器（Ｒｐ）
４００    マイクロコントローラ
４０５    パルスドライバー
４１０    スパーク検出器
４２５    断線検出器
【図１】
2018026357.tif 000003
【図２】
2018026357.tif 000004
【図３Ａ】
2018026357.tif 000005
【図３Ｂ】
2018026357.tif 000006
【図４Ａ】
2018026357.tif 000007
【図４Ｂ】
2018026357.tif 000008
【図５Ａ】
2018026357.tif 000009
【図５Ｂ】
2018026357.tif 000010
【図５Ｃ】
2018026357.tif 000011
【図５Ｄ】
2018026357.tif 000012
【図５Ｅ】
2018026357.tif 000013
【図５Ｆ】
2018026357.tif 000014
【図５Ｇ】
2018026357.tif 000015
【図５Ｈ】
2018026357.tif 000016
【図６】
2018026357.tif 000017
【図７】
2018026357.tif 000018
【図８】
2018026357.tif 000019
【手続補正書】
【提出日】平成29年11月17日(2017.11.17)
【手続補正１】
【補正対象書類名】明細書
【補正対象項目名】００８０
【補正方法】変更
【補正の内容】
【００８０】
本発明は特定の実施形態において説明されてきたが、本発明がそのような実施形態によって限定されるように解釈されるべきでないことは理解されたい。むしろ、本発明は添付の特許請求の範囲に従って解釈されるべきである。
なお、本発明は以下の特徴を以って実施することができる。
［特徴１］
エミッターと基準電極とを分離する空間内でイオンを生成するための方法において、
前記エミッターから前記対象物への距離に応じて変更可能な数の小さな鋭いパルスおよび変更可能な繰り返し数のパルスを生成することを含んで成るエミッターと基準電極とを分離する空間内でイオンを生成するための方法。
［特徴２］
印加される電力が、コロナ放電によって正のイオンおよび負のイオンを生成するのに十分であるが、オゾンおよび酸化窒素を生成し、前記エミッターを腐食し、周囲空間から粒子を引き寄せるには不十分であるように、前記パルスのパルス持続時間は短い特徴１に記載の方法。
［特徴３］
前記パルスは、両方の極性のためのコロナしきい値より高い振幅を有する強いイオン化パルスを含む特徴１に記載の方法。
［特徴４］
印加される電力が、前記エミッター先端またはワイヤ電極上への粒子の蓄積を低減し、かつイオン化バーからのコロナ放電粒子放出に関連付けられる汚染を最小化しながら、コロナ放電によって正のイオンおよび負のイオンを生成するのに十分であるように前記パルスのパルス持続時間は短い特徴１に記載の方法。
［特徴５］
イオン流バランスを概ね０付近に保持することを更に含む特徴１に記載の方法。
［特徴６］
前記パルスは、低い電源を使用して前記エミッターに印加される高電圧を与えることができるようにするために、非常に低い繰り返し数の強いマイクロパルスを含む特徴１に記載の方法。
［特徴７］
前記パルス列は複数の波を含み、各波は、初期の低い振幅ピークと、逆極性の第２の高い振幅ピークと、最後の低い振幅ピークとを含む特徴１に記載の方法。
［特徴８］
先端間のイオン密度変動の影響を低減し、かつ前記エミッターの長さに沿ってイオンバランスを均等に分布させることができるようにするために、線形ワイヤまたは一群の線形エミッターに同時に電圧を印加することを更に含む特徴１に記載の方法。
［特徴９］
前記パルス列を制御するためにマイクロコントローラを使用することを更に含む特徴１に記載の方法。
［特徴１０］
逆極性の電圧を生成し、それにより、放射される電界を低減するデュアルイオンエミッターを使用することを更に含む特徴１に記載の方法。
［特徴１１］
エミッターと基準電極とを分離する空間内でイオンを生成するための装置において、
エミッターと、
基準電極と、
前記エミッターから前記対象物への距離に応じて変更可能な数の列をなす小さな鋭いパルスおよび変更可能な繰り返し数のパルスを生成する駆動回路とを具備するエミッターと基準電極とを分離する空間内でイオンを生成するための装置。
［特徴１２］
印加される電力が、コロナ放電によって正のイオンおよび負のイオンを生成するのに十分であるが、オゾンおよび酸化窒素を生成し、前記エミッターを腐食し、周囲空間から粒子を引き寄せるには不十分であるように、前記パルスのパルス持続時間は短い特徴１１に記載の装置。
［特徴１３］
前記パルスは、通常の約50000ヘルツ〜70000ヘルツの代わりに、約２５０ヘルツのような非常に遅い繰り返し数においてイオン化しきい値より少なくとも約1000V高い強いイオン化パルスを含み、それにより、オゾンを少なく抑えながらイオンを生成する特徴１１に記載の装置。
［特徴１４］
印加される電力が、前記エミッター先端またはワイヤ電極上への粒子の蓄積を低減し、かつイオン化バーからのコロナ放電粒子放出に関連付けられる汚染を最小化しながら、コロナ放電によって正のイオンおよび負のイオンを生成するのに十分であるように、前記パルスのパルス持続時間は短い特徴１１に記載の装置。
［特徴１５］
前記駆動回路はイオン流バランスを概ね０付近に保持する特徴１１に記載の装置。
［特徴１６］
前記パルスは、低い電源を使用して前記エミッターに印加される高電圧を与えることができるようにするために、非常に低い繰り返し数の強いマイクロパルスを含む特徴１１に記載の装置。
［特徴１７］
前記パルス列は複数の波を含み、各波は、初期の低い振幅ピークと、逆極性の第２の高い振幅ピークと、最後の低い振幅ピークとを含む特徴１１に記載の装置。
［特徴１８］
前記駆動回路は、先端間のイオン密度変動の影響を低減し、かつ前記エミッターの長さに沿ってイオンバランスを均等に分布させることができるようにするために、線形ワイヤまたは一群の線形エミッターに同時に電圧を印加する特徴１１に記載の装置。
［特徴１９］
前記パルス列を制御するマイクロコントローラを更に具備する特徴１１に記載の装置。
［特徴２０］
前記エミッターは、逆極性の電圧を生成し、それにより、放射される電界を低減するデュアルイオンエミッターを更に具備する特徴１１に記載の装置。
【手続補正２】
【補正対象書類名】特許請求の範囲
【補正対象項目名】全文
【補正方法】変更
【補正の内容】
【特許請求の範囲】
【請求項１】
エミッターと基準電極との間でコロナ放電中に両極イオンを生成することによって、電荷中和するための方法において、
持続時間の短い鋭いマイクロパルスを生成し、
各マイクロパルスが正電圧部分と負電圧部分とを含み、
前記マイクロパルスが、正電圧および負電圧の大きさおよび振幅に関して非対称であり、
少なくとも１つの極の電圧の大きさがコロナしきい値を超えており、
パルス列が複数の波を含んでおり、各波は、初期の低い振幅ピークと、逆極性の第２の高い振幅ピークと、最後の低い振幅ピークとを含み、
前記パルスは、電荷中和対象物によって決定される両極性パルス列をなしているようにした方法。
【外国語明細書】
2018026357000001.pdf